(57)【要約】      （修正有）【課題】スピーカー装置の背面側の空気の流れに乱れが生じるのを低減して、スピーカー装置の性能等が低下するのを防止する。【解決手段】フレームは、流線型に且つ湾曲型の形状に形成されている。その外周壁の断面形状は、略椀型の断面形状を有するように形成されている。その駆動時、スピーカー装置の背面側に存在する空気が振動板側へ流動し易くなる。スピーカー装置の背面側、即ち磁気回路収容部の外周壁の下面側付近において空気の流れに乱れが生じるのを低減することができる。その結果スピーカー装置の性能の低下、音質の低下等の不具合が生じるのを防止できる。スピーカーのフレームにおいて、磁気回路収容部の外周壁には、適宜の間隔をおいて、複数の切り欠き部が形成されている。これにより、加熱された磁気回路系の要素であるヨークの側壁と、冷却された新鮮な外気との間で熱伝達の授受が活発に行われ易くなり、上記の作用効果を得ることができる。【選択図】    図８
2006229520.tif 000002
【特許請求の範囲】
【請求項１】
磁気回路を収容する外周壁を有する磁気回路収容部を備え、
前記外周壁は、流線型に且つ湾曲型の形状に形成されていることを特徴とするスピーカー装置用のフレーム。
【請求項２】
前記外周壁の断面形状は、略椀型の断面形状であることを特徴とする請求項１に記載のスピーカー装置用のフレーム。
【請求項３】
前記外周壁には、複数の切り欠き部が設けられていることを特徴とする請求項１又は２に記載のスピーカー装置用のフレーム。
【請求項４】
前記切り欠き部の各々は、前記外周壁を等間隔に分割する位置に設けられていることを特徴とする請求項３に記載のスピーカー装置用のフレーム。
【請求項５】
請求項１乃至４のいずれか一項に記載のスピーカー装置用のフレームを備えるスピーカー装置。
【発明の詳細な説明】
【技術分野】
【０００１】
本発明は、スピーカー装置におけるフレームの構造に関する。
【背景技術】
【０００２】
従来より、フレーム及び振動板等を有する振動系と、ヨーク、マグネット及びプレートを有する磁気回路系とを備えるスピーカー装置が知られている。
【０００３】
そのようなスピーカー装置では、フレームは、例えば椀型の形状を有するように形成されている。そして、このような形状を有するフレームは、磁気回路を保持する磁気回路収容部と、その磁気回路収容部の外側に配置され、エッジの外周部を取り付けるためのエッジ取り付け部を有する外周部と、磁気回路収容部と外周部とを連結する複数のアーム部と、を備えて構成される。
【０００４】
特に、かかる構成を有するフレームにおいて、磁気回路収容部の背面側における、磁気回路を固定する位置には平坦性を有する底面が形成されている。このような構造を有するフレームが、例えば特許文献１に記載されている。
【０００５】
また、この種の構造を有するフレームでは、ボイスコイル等で発生する熱の放熱効果を高めるために、そのフレーム等の背面側に開口が設けられることがある（例えば、特許文献２を参照）。
【０００６】
なお、空気流歪みの低減化を図るために、スピーカーユニット内部とエンクロージャ外部を空間的に結合してなるスピーカーシステムが知られている（例えば、特許文献３を参照）。また、磁石の周囲を取り囲む磁石カバーと、フレームの周囲を取り囲むフレームカバーと、磁石と磁石カバーとの間に位置する第１の開口部と、磁石カバーとフレームカバーとの間に位置する第２の開口部とを備える防水カバーを適用したスピーカー装置が知られている（例えば、特許文献４を参照）。これにより、ドアの内部に浸入してきた水滴がスピーカにかかる恐れを小さくすることができると共に、スピーカー裏側の空気圧が高くなり振動板の動きが妨げられるのを小さくすることができるとされている。
【０００７】
【特許文献１】特開２００１−３５２５９０号公報
【特許文献２】特開２０００−３５０２８７号公報
【特許文献３】特開２００３−３２７７４号公報
【特許文献４】特開平１１−２８５０８８号公報
【発明の開示】
【発明が解決しようとする課題】
【０００８】
上記のスピーカー装置に係るフレームでは、磁気回路収容部の背面側の磁気回路を固定する底面が平坦性を有するように形成されている。このため、スピーカー装置の背面側に存在する空気が振動板側へ流動するときの磁気回路収容部の底面付近の空気抵抗は大きくなる。
【０００９】
よって、スピーカー装置の駆動時に、そのスピーカー装置の背面側に存在する空気が振動板の方向へ移動する際、その空気の一部は底面に衝突して跳ね返るように流動するため、その底面付近では空気の流れに乱れが生じる。これにより、主に、振動板等の円滑な移動が妨げられ、スピーカー装置の性能等が低下したりするなどの問題が生じる虞がある。また、スピーカー装置の駆動時に、磁気回路の温度上昇によって加熱されたスピーカー装置の背面側の空気がその底面付近に滞留することで、スピーカー装置の性能等が低下したりするなどの問題が生じる虞がある。
【００１０】
本発明が解決しようとする課題としては、上記のようなものが例として挙げられる。本発明は、主として、磁気回路収容部の外周壁の形状を工夫することにより、スピーカー装置の背面側の空気の流れに乱れが生じるのを低減して、スピーカー装置の性能等が低下するのを防止することが可能なスピーカー装置用のフレーム及びそのフレームを用いたスピーカー装置を提供することを課題とする。
【課題を解決するための手段】
【００１１】
請求項１に記載の発明は、スピーカー装置用のフレームであって、磁気回路を収容する外周壁を有する磁気回路収容部を備え、前記外周壁は、流線型に且つ湾曲型の形状に形成されていることを特徴とすることを特徴とする。
【発明を実施するための最良の形態】
【００１２】
本発明の１つの実施形態では、スピーカー装置用のフレームは、磁気回路を収容する外周壁を有する磁気回路収容部を備え、前記外周壁は、流線型に且つ湾曲型の形状に形成されている。
【００１３】
上記のスピーカー装置用のフレームは、磁気回路を収容する外周壁を有する磁気回路収容部を備えて構成される。特に、その磁気回路収容部の外周壁は、流線型に且つ湾曲型の形状に形成されている。好適な例では、前記外周壁の断面形状を、略椀型の断面形状とすることができる。
【００１４】
これにより、スピーカー装置の背面側に存在する空気が振動板側へ流動するときの磁気回路収容部の外周壁付近の空気抵抗を小さくできる。したがって、かかるスピーカー装置用のフレームを用いたスピーカー装置では、その駆動時、スピーカー装置の背面側に存在する空気が振動板側へ流動し易くなる。これにより、スピーカー装置の背面側、即ち磁気回路収容部の外周壁の下面側付近において空気の流れに乱れが生じるのを低減することができる。このため、振動板等を円滑に移動させることができる。その結果、スピーカー装置の性能等が低下したり、或いは音質が低下したりするなどの不具合が生じるのを防止できる。
【００１５】
上記のスピーカー装置用のフレームの一つの態様では、前記外周壁には、複数の切り欠き部が設けられている。好適な例では、前記切り欠き部の各々は、前記外周壁を等間隔に分割する位置に設けることができる。
【００１６】
これにより、磁気回路と冷却された新鮮な外気との接触面積が増加し、その加熱された磁気回路と冷却された新鮮な外気との間で熱伝達の授受が活発に行われ易くなり、フレームの背面側における、磁気回路周辺の放熱性の向上を図ることができる。これにより、スピーカー装置の性能等が低下したり、或いは音質が低下したりするなどの不具合が生じるのを防止できる。
【００１７】
上記のスピーカー装置用のフレームを備えるスピーカー装置を構成することができる。
【実施例】
【００１８】
以下、図面を参照して本発明の好適な実施例について説明する。本実施例は、フレーム１の要素である磁気回路収容部の外周壁を流線型に且つ湾曲型の形状に形成することにより、スピーカー装置の駆動時に、フレームの背面側の空気の流れに乱れが生じるのを低減する。また、磁気回路収容部の外周壁に複数の切り欠き部を設けることにより、磁気回路系の周辺の放熱性の向上を図る。また、これらにより、音質が低下するのを防止する。
【００１９】
[スピーカー装置の構成]
まず、図１乃至図５を参照して、本発明の実施例に係るスピーカー装置１００の構成等について説明する。
【００２０】
図１は、本発明の実施例に係るスピーカー装置１００を、その放音側から見たときのスピーカー装置１００の斜視図を示す。図２は、スピーカー装置１００を、その放音側と逆側、即ち背面側から見たときのスピーカー装置１００の斜視図を示す。図３は、スピーカー装置１００を、その放音側から見たときのスピーカー装置１００の正面図を示す。図４は、スピーカー装置１００を、その放音側と逆側、即ち背面側から見たときのスピーカー装置１００の背面図を示す。図５は、スピーカー装置１００（又はフレーム１）の中心軸Ｌ１に対して紙面右側にスピーカー装置１００の断面図を、その中心軸Ｌ１に対して紙面左側にスピーカー装置１００の側面図を夫々示す。また、図５に示される片側断面図は、図３におけるスピーカー装置１００の切断線Ｘ１−Ｘ２に沿った断面図である。図５に示される片側側面図は、図３において、スピーカー装置１００の中心軸Ｌ１を通る平面Ｓ１と、その中心軸Ｌ１を通り平面Ｓ１に垂直な平面Ｓ２との間におけるスピーカー装置１００の側面部分Ｅ１に対応している。
【００２１】
本実施例のスピーカー装置１００は、車載用スピーカー装置として好適に用いることができる。スピーカー装置１００は、スピーカーユニット５０を、フレーム１に取り付けることにより構成される。
【００２２】
スピーカーユニット５０は、ヨーク２、マグネット３及びプレート４を有する磁気回路系２０と、ボイスコイルボビン５、ボイスコイル６、ダンパー７、振動板８、エッジ９及びキャップ１０を有する振動系３０と、を備えている。
【００２３】
まず、磁気回路系２０の各構成要素について説明する。
【００２４】
磁気回路系２０は、内磁型の磁気回路として構成されている。
【００２５】
ヨーク２は、略壺状の形状をなしている。ヨーク２は、円板状のマグネット３を載置するための第１平坦部２ａと、その第１平坦部２ａの略中心に形成された開口２ｂと、その第１平坦部２ａの外周部と連結された第１円筒部２ｃと、その第１円筒部２ｃの下端部と連結された第２平坦部２ｄと、その第２平坦部２ｄの外周部と連結された第２円筒部２ｅと、その第２円筒部２ｅの上端部と連結され当該上端部から外側に延在するフランジ部２ｆとを有し、それらの各要素は一体的に形成されている。
【００２６】
第１平坦部２ａの上面は平坦性を有している。開口２ｂは、磁気回路系２０で発生した熱を外部へ放熱する機能を有している。第１円筒部２ｃは、円筒状の形状をなしている。図５において、第１円筒部２ｃを矢印Ｙ１方向に所定の長さを有するように形成することにより、振動系３０の要素と、マグネット３及びプレート４との相対的な位置関係を調整することができる。第２平坦部２ｄの下面は平坦性を有している。第２平坦部２ｄは、第１円筒部２ｃと第２円筒部２ｅとの間に一定の間隙を形成する役割を担う。第２円筒部２ｅは、円筒状の形状をなし、第１円筒部２ｃの外側に配置されている。第２円筒部２ｅは、当該第２円筒部２ｅの内周壁と、マグネット３及びプレート４の各外周壁との間に磁気ギャップ１２を形成する機能を有している。フランジ部２ｆは、フレーム１の要素である磁気回路収容部１ａに固定される部位である。フランジ部２ｆを磁気回路収容部１ａに取り付けることにより、磁気回路系２０を磁気回路収容部１ａ内に収容することができる。
【００２７】
マグネット３は、円板状の形状をなし、ヨーク２の第１平坦部２ａ上に取り付けられている。マグネット３上には、当該マグネット３と略同一の径を有する、円板状のプレート４が取り付けられている。
【００２８】
このような構成を有する磁気回路系２０では、マグネット３及びプレート４等により磁気回路を構成し、プレート４の外周壁と第２円筒部２ｅの内周壁との間に形成される磁気ギャップ１２にマグネット３の磁束を集中させている。
【００２９】
次に、振動系３０の各構成要素について説明する。
【００３０】
ボイスコイルボビン５は、略円筒状の形状をなしている。ボイスコイルボビン５の外周壁の下端部近傍には、後述するボイスコイル６が巻かれている。ボイスコイルボビン５の内周壁の下端部近傍は、マグネット３及びプレート４の各外周壁と一定の間隔をおいて対向している。一方、ボイスコイルボビン５の外周壁の下端部近傍は、ヨーク２の要素である第２円筒部２ｅの内周壁の上端部近傍と一定の間隔をおいて対向している。そして、第２円筒部２ｅの内周壁と、プレート４等の外周壁との間に空隙（磁気ギャップ１２）が形成されている。
【００３１】
ボイスコイル６は、１つの配線からなり、図４に示すように、プラスのリード線６ａ及びマイナスのリード線６ｂを夫々有している。プラス側のリード線６ａはＬ（又はＲ）チャンネル信号の入力配線であり、マイナス側のリード線６ｂはグランド（ＧＮＤ：接地）信号の入力配線である。リード線６ａ、６ｂは、フレーム１に設けられた端子部１ｄに電気的に接続されている。また、端子部１ｄは、図示しないアンプ側の出力側の配線にも電気的に接続される。これにより、ボイスコイル６には、端子部１ｄ並びにリード線６ａ及び６ｂを介してアンプ側から１チャンネル分の信号や電力が入力される。
【００３２】
ダンパー７は、環状の形状をなし、同心円状に波型が形成された弾性部を有している。ダンパー７の内周縁部は、ボイスコイルボビン５の外周壁の上端部近傍に取り付けられている。一方、ダンパー７の外周縁部は、磁気回路収容部１ａの外周部に取り付けられている。
【００３３】
振動板８には、各種の用途に応じ、紙系、高分子系、金属系などの各種の材料を適用することができる。振動板８は、コーン状の形状をなしている。振動板８の内周縁部は、ボイスコイルボビン５の外周壁の上端部近傍に且つダンパー７の上側に取り付けられている。一方、振動板８の外周縁部は、環状の形状をなすエッジ９の内周縁部に取り付けられている。エッジ９の外周縁部は、フレーム１の外周部１ｃ上に取り付けられている。なお、本例では、振動板８とエッジ９を夫々独立に形成するようにしているが、これに限らず、本発明では、振動板８とエッジ９を一体的に形成するようにしても構わない。
【００３４】
キャップ１０は、略ドーム状の形状をなし、ボイスコイルボビン５の上面を閉塞するように、当該ボイスコイルボビン５の外周壁に取り付けられている。これにより、粉塵や異物などがスピーカーユニット５０の内部へ侵入するのを防止する機能を有している。
【００３５】
フレーム１は、金属や樹脂などの各種の材料にて形成される。スピーカー装置１００の軽量化を図る場合には、フレーム１は樹脂材料にて形成するのが好ましい。フレーム１は、主として、磁気回路収容部１ａと、その磁気回路収容部１ａの外側に且つ上側に配置された外周部１ｃと、磁気回路収容部１ａと外周部１ｃを連結する複数のアーム部１ｂと、磁気回路収容部１ａの外周部付近に設けられた端子部１ｄとを有し、それらの各要素は一体的に形成されている。また、フレーム１において、磁気回路収容部１ａと外周部１ｃの間には開口１ｆが形成されている。
【００３６】
磁気回路収容部１ａは、略椀状の形状をなし、主として、開口１ａａ、切り欠き部１ａｂ及び複数の固定部１ａｃを有している。開口１ａａの径は、ヨーク２の第２円筒部２ｅの外径と略同一になっている。開口１ａａは、図５においてスピーカー装置１００の中心軸Ｌ１方向を縦方向としたときに、磁気回路収容部１ａの縦方向の略中心に対応する位置に形成されている。各切り欠き部１ａｂは、磁気回路収容部１ａの外周壁の一部を除去することにより形成され、その外周壁付近に且つ適宜の間隔をおいて形成されている。各固定部１ａｃは、開口１ａａ付近に且つ切り欠き部１ａｂに対応する位置に形成されている。また、固定部１ａｃの各々は、その開口１ａａの周方向に沿って且つ適宜の間隔をおいて形成されている。
【００３７】
各アーム部１ｂの一端は、磁気回路収容部１ａの外周壁に取り付けられていると共に、各アーム部１ｂの他端側は、外周部１ｃの内周壁に取り付けられている。
【００３８】
外周部１ｃは、略環状の形状をなし、磁気回路収容部１ａ及び複数のアーム部１ｂの外側に設けられている。外周部１ｃには、エッジ９の外周部やクッション部材４０、４１等が取り付けられる。外周部１ｃは、スピーカー装置１００を、例えば車両ドアのインナーパネルなどの被取付部に取り付けるための取り付け部１ｃａ、１ｃｂを有している。
【００３９】
取り付け部１ｃａは、ボルトを挿入するための挿入口であり、外周部１ｃにおいて端子部１ｄと逆側の位置に設けられている。取り付け部１ｃｂは、爪状の形状をなし、外周部１ｃの下面側において取り付け部１ｃａと逆側の位置に且つ端子部１ｄ付近に複数設けられている。また、１つの取り付け部１ｃｂと、他の取り付け部１ｃｂとは一定の間隔をおいて外周部１ｃの下面側に設けられている。
【００４０】
外周部１ｃの上面、及び、外周部１ｃの下面の一部分には、クッション性を有し、棒状の形状を有するクッション部材４０が略円形形状に変形された状態で貼り付けられている。クッション部材４０としては、例えば、スポンジやウレタンなどの弾性を有する部材が好ましい。また、複数の取り付け部１ｃｂ側の外周部１ｃの下面の他の一部分には、クッション部材４０と同一の材料からなり且つ図示の形状を有するクッション部材４１が貼り付けられている。クッション部材４０及び４１の一方の面には、粘着性のあるシールが印刷、若しくは接着剤が塗布されている。
【００４１】
以上に述べたスピーカーユニット５０は、次のようにしてフレーム１に取り付けられている。図５において、振動系３０の要素であるボイスコイルボビン５及びキャップ１０が、磁気回路収容部１ａの開口１ａａに矢印Ｙ１方向から挿入され、そのボイスコイルボビン５の上端部及びキャップ１０が振動板８の放音側の面の上方に配置された状態で、ヨーク２の要素であるフランジ部２ｆが、磁気回路収容部１ａに設けられた複数の固定部１ａｃに固定されている。こうして、スピーカーユニット５０は、フレーム１の適切な位置に取り付けられ、スピーカー装置１００が構成されている。
【００４２】
以上の構成を有するスピーカー装置１００において、アンプ側から出力された信号や電力は、端子部１ｄ、及びボイスコイル６のリード線６ａ、６ｂを介して、ボイスコイル６へ入力される。これにより、磁気ギャップ１２内でボイスコイル６に駆動力が発生し、図５において振動板８等をスピーカー装置１００の中心軸Ｌ１方向に振動させる。こうして、スピーカー装置１００は、図５の矢印Ｙ１方向に音波を放射する。
【００４３】
（フレームの構造）
次に、図６乃至図８等を参照して、本発明の特徴をなすフレーム１の構造について説明する。図６はフレームの正面図を示す。図７はフレームの背面図を示す。図８は図６におけるフレーム１の切断線Ｂ−Ｂ’に沿った断面図を示す。なお、図８では、説明の便宜上、振動板８及びヨーク２の要素である第２円筒部２ｅ（破線部分）の位置も示す。
【００４４】
フレーム１の基本的な構成は上記した通りである。よって、以下では、本発明と関係があるフレーム１の要素、具体的には磁気回路収容部１ａの構成を中心に説明する。特に、本発明は、磁気回路収容部１ａの外周壁１ａｚの形状に特徴を有していると共に、その外周壁１ａｚに複数の切り欠き部１ａｂを設けるようにした点に特徴を有している。
【００４５】
磁気回路収容部１ａは、上記した要素の他に、環状の形状を有するダンパー取り付け部１ａｄと、そのダンパー取り付け部１ａｄの上面の外周縁部から上方に突出してなる環状のリブ１ａｅと、そのダンパー取り付け部１ａｄの下面の内周縁部から斜め下方に且つ中心軸Ｌ１方向に延在する外周壁１ａｚと、その外周壁１ａｚの下端から上方に起立する内周壁１ａｙと、その内周壁１ａｙの上端側に形成された開口１ａａと、その外周壁１ａｚとその内周壁１ａｙを連結する複数の補強部材１ａｓと、を有して構成される。
【００４６】
ダンパー取り付け部１ａｄの上面にはダンパー７の外周縁部が取り付けられる。リブ１ａｅは、主として、ダンパー７を、ダンパー取り付け部１ａｄ上の適切な位置に位置決めする機能等を有している。外周壁１ａｚは、流線型に且つ湾曲型の形状に形成されている。また、外周壁１ａｚの断面形状は、略椀型の断面形状となるように形成されている。また、外周壁１ａｚには、その一部を除去することにより形成された複数の切り欠き部１ａｂが形成されている。各切り欠き部１ａｂは、図７等に示すように、磁気回路収容部１ａの外周壁１ａｚを略三等分する位置に夫々設けられている。また、各切り欠き部１ａｂに対応する位置には、ヨーク２のフランジ部２ｆを磁気回路収容部１ａに固定するための固定部１ａｃが設けられている。内周壁１ａｙは、ヨーク２の要素である第２円筒部２ｅの外周壁と一定の間隔をおいて対向する部分である。外周壁１ａｚと内周壁１ａｙは、水掻き状若しくは略三角形状の形状をなす、複数の補強部材１ａｓにより結合されている。これにより、磁気回路収容部１の強度向上が図られている。内周壁１ａｙとヨーク２の要素である第２円筒部２ｅとの間には、略環状の空間Ｓ１０が形成されている。
【００４７】
このような構成を有する本発明の本実施例は、比較例に比べて有利な作用効果を奏する。
【００４８】
まず、図９を参照して、比較例の構成について簡単に述べる。図９は、図８に対応する比較例に係るフレームの断面図である。なお、図９では、説明の便宜上、振動板８及びヨーク２の要素である第２円筒部２ｅ（破線部分）の位置も示す。また、図９において本発明の要素と同一の要素については同一の符号を付し、以下では、その説明を省略又は簡略化する。
【００４９】
図８及び図９において比較例と本実施例とを比較すると、比較例は、特に、磁気回路の要素であるヨーク２を固定する位置に、平坦性を有する底部１ａｘを有している点が本実施例と大きく異なっている。その他の構成要素は両者とも略共通している。
【００５０】
このため、比較例では、矢印Ｙ１方向に空気が流動する際の、その底面１ａｘの付近の空気抵抗は大きくなっている。
【００５１】
このような構成を有するフレーム１をスピーカー装置に適用した場合には、そのスピーカー装置の駆動時、フレーム１の背面側に位置する底部１ａｘの下面付近において空気の流れに乱れが生じる。即ち、図９において比較例に係る振動板８が矢印Ｙ１方向に移動したと仮定した場合、その振動板８の移動時における吸引力により、フレームの背面側に存在する空気は、矢印Ｙ１０及びＹ１２の方向に沿って流動する。特に、フレーム１の背面側に存在する空気の一部が、矢印Ｙ１２の方向に沿って流動、即ち、底部１ａｘの下面に衝突して跳ね返るように流動することにより、その底部１ａｘの下面付近の空気の流れに乱れが生じる。これにより、主に、振動板８等の円滑な移動が妨げられ、スピーカー装置の性能等が低下したりするなどの不具合が生じる虞がある。
【００５２】
これに対して、本発明では、磁気回路収容部１ａの外周壁１ａｚを流線型に且つ湾曲型に形成するようにしているので、矢印Ｙ１方向に空気が流動する際の磁気回路収容部１ａの空気抵抗は小さくなっている。したがって、かかるフレーム１を用いたスピーカー装置１００では、その駆動時、スピーカー装置１００の背面側に存在する空気が振動板８側へ流動し易くなる。これにより、スピーカー装置１００の背面側、即ち磁気回路収容部１ａの外周壁１ａｚの下面側付近において空気の流れに乱れが生じるのを低減することができ、本発明において、上記した比較例のような不具合は生じない。
【００５３】
この点について図８を参照して述べる。本発明において、振動板８が矢印Ｙ１方向に移動したと仮定した場合、その振動板８の移動時における吸引力により、フレーム１の背面側に存在する空気は、矢印Ｙ１０の方向に沿って流動することになる。
【００５４】
つまり、本発明では、フレーム１の背面側に存在する空気が、比較例のように磁気回路収容部１ａの底部に衝突して跳ね返るように流動することはない。これは、磁気回路収容部１ａの外周壁１ａｚが流線型に且つ湾曲型の形状に形成されており、本発明の磁気回路収容部１ａには、比較例に相当する底部が形成されていないからである。よって、本発明では、そのような磁気回路収容部１ａの外周壁１ａｚの形状により、フレーム１の背面側の空気の流れに乱れが生じるのを低減することができる。その結果、本発明では、振動板等を円滑に移動させることができ、スピーカー装置１００の性能等が低下したり、或いは音質が低下したりするなどの不具合が生じるのを防止できる。
【００５５】
加えて、本発明では、磁気回路収容部１ａの外周壁１ａｚに、適宜の間隔をおいて、複数の切り欠き部１ａｂを設けるようにしている。好適な例では、複数の切り欠き部１ａｂは、磁気回路収容部１ａの外周壁１ａｚを等間隔（本例では略３等分）に分割する位置に夫々設けることができる。これにより、図２及び図４の矢印Ｙ１１に示すように、ヨーク２の要素である第２円筒部２ｅの側壁と、冷却された新鮮な外気との接触面積が増加し、その加熱された第２円筒部２ｅの側壁と冷却された新鮮な外気との間で熱伝達の授受が活発に行われ易くなる。つまり、磁気回路系２０の温度上昇に伴って加熱された空間Ｓ１０内の空気が、その空間Ｓ１０内に滞留し続けるのを防止できる。これにより、フレーム１の背面側における、ヨーク２の周辺の放熱性の向上を図ることができる。その結果、スピーカー装置１００の性能等が低下したり、或いは音質が低下したりするなどの不具合が生じるのを防止できる。
【図面の簡単な説明】
【００５６】
【図１】本発明の実施例に係るスピーカー装置を放音側から見たときの、スピーカー装置の斜視図を示す。
【図２】本実施例に係るスピーカー装置を放音側と逆側から見たときの、スピーカー装置の斜視図を示す。
【図３】本実施例に係るスピーカー装置の正面図を示す。
【図４】本実施例に係るスピーカー装置の背面図を示す。
【図５】本実施例に係るスピーカー装置の片側断面図及び片側側面図を示す。
【図６】本発明の実施例に係るフレームの正面図を示す。
【図７】本発明の実施例に係るフレームの背面図を示す。
【図８】図６におけるフレームの切断線Ｂ−Ｂ’に沿った断面図を示す。
【図９】比較例に係るフレームの断面図を示す。
【符号の説明】
【００５７】
１  フレーム
１ａ  磁気回路収容部
１ａｂ  切り欠き部
１ａｚ  外周壁
２  ヨーク
３  マグネット
４  プレート
５  ボイスコイルボビン
６  ボイスコイル
７  ダンパー
８  振動板
９  エッジ
２０  磁気回路系
３０  振動系
５０  スピーカーユニット
１００  スピーカー装置
【図１】
2006229520.tif 000003
【図２】
2006229520.tif 000004
【図３】
2006229520.tif 000005
【図４】
2006229520.tif 000006
【図５】
2006229520.tif 000007
【図６】
2006229520.tif 000008
【図７】
2006229520.tif 000009
【図８】
2006229520.tif 000010
【図９】
2006229520.tif 000011